(57)【要約】      （修正有）【課題】照明器具内に設置する防犯カメラにおいて、撮像をより鮮明にしながら、侵入者に警戒されない。【解決手段】乳白色の照明カバー上に穴を設け、この穴に一体化するように、照明器具内に設置する防犯カメラのカメラレンズを装着し、カメラレンズが外部に露出した状態で、一体化している照明カバーを回動させることにより、向きを調節しながら撮像する。【選択図】図２
2005312020.tif 000002
【特許請求の範囲】
【請求項１】
照明カバーに外部撮影用に設けた穴と、照明器具内部に設置した防犯カメラのレンズとが、一体化していることを特徴とする照明カバー付防犯カメラ。
【請求項２】
照明カバーと一体となっている照明器具内の防犯カメラのレンズが、該カバーを動かすことによりカメラの向きを調整することを特徴とする請求項１記載の照明カバー付防犯カメラ。
【請求項３】
照明器具には、器具外部の一定範囲内において移動物体を感知するセンサーを設けることを特徴とする請求項１または２記載の照明カバー付防犯カメラ。
【請求項４】
照明カバーと一体となっている照明器具内の防犯カメラのレンズ部分に、広角レンズを設置することを特徴とする請求項１乃至３記載の照明カバー付防犯カメラ。
【発明の詳細な説明】
【技術分野】
【０００１】
本発明は防犯のための監視機能を持った照明器具である。
【背景技術】
【０００２】
特開平７−３７１７５号公報（以下特許文献１）の監視装置では、監視装置と照明装置と結びつけ、センサーによって移動する物体を感知すると、照明を点滅させるシステムの装置を用いて、侵入者の威嚇、侵入者の識別を容易にするなどの技術がみられている。
【０００３】
特開２００１−１０３４５４号公報（以下特許文献２）では、特許文献１のように監視装置を独立して設置するのではなく、照明器具内部に監視装置を設置することにより、外部から侵入者に警戒されずに、監視機能を向上させ、また監視装置である防犯カメラが照明カバーによって覆われていることにより、該カメラを汚損や破損から保護するという技術が開示されている。
【０００４】
照明器具内に設置する監視装置において、特許文献２では、照明器具内に設置した防犯カメラで、光を透過させる照明カバー越しに、照明器具外部を監視するという技術を開示しているが、完全に透明な照明カバーでなければ、照明カバー越しの照明器具外部の鮮明な撮影は困難であり、また、照明カバーの多くが乳白色などの不透明な素材を採用しているという現状からも、照明カバー越しに防犯カメラで監視することは難しいという問題点がある。
【特許文献１】特開平７−３７１７５号公報
【特許文献２】特開２００１−１０３４５４号公報
【発明の開示】
【発明が解決しようとする課題】
【０００５】
本発明は、上記した実情と問題点を受けて、照明器具内に設置する監視装置から、照明器具外部を鮮明に撮影し監視することのできる照明カバー付防犯カメラを提供するものである。
【課題を解決するための手段】
【０００６】
上記問題点を解決するために、本件発明の請求項１の照明カバー付防犯カメラは、照明器具内に設置する監防犯カメラのレンズと、照明カバーに設けた穴とが一体化していることを特徴とする。
【０００７】
本発明の請求項２の照明カバー付防犯カメラは、照明カバーを動かすことにより、照明器具内に照明カバーと一体化するように設置した防犯カメラのレンズと、レンズに付随する該カメラを動かし向きを調整することを特徴とする。
【０００８】
本発明の請求項３の照明カバー付防犯カメラは、器具外部の一定範囲内において移動物体を感知するセンサーを設けることを特徴とする。
【０００９】
本発明の請求項４の照明カバー付防犯カメラは、照明カバーと一体となっている照明器具内の防犯カメラのレンズ部分に、広角レンズを設置することを特徴とする。
【発明の効果】
【００１０】
請求項１の発明によれば、照明カバー付防犯カメラは、防犯カメラを、カメラのレンズと照明カバーに設けた穴とが一体化するように設置することにより、外部から防犯カメラと警戒されないうえに、該カメラのレンズのみが照明カバー表面の外部に露出した状態で撮影するため、照明カバー越しに外部を撮影するよりも、より鮮明に撮影することができる。
【００１１】
請求項２の発明によれば、照明カバーを動かすことで、該カバーと一体化している防犯カメラのレンズと、該レンズを付随する防犯カメラとが動かされ、防犯カメラの撮影の向きを調節することができる。照明カバー全体が動くことで、防犯カメラの撮影の向きが調節されるため、防犯カメラが動いていることを外部の侵入者から警戒されにくい。
【００１２】
請求項３の発明によれば、器具外部の一定範囲内において移動物体を感知するセンサーを設けることにより、侵入者が照明器具の一定範囲内に近づいた場合に、感知して防犯カメラの向きを監視対象者に調節して撮影することができる。
【００１３】
請求項４の発明によれば、照明カバーと一体となっている照明器具内の防犯カメラのレンズ部分に、広角レンズを設置することにより、照明カバー上に一体化させたレンズを通してでも、照明器具内部に設置した防犯カメラで、照明器具外部を広範囲で撮像することができる。
【発明を実施するための最良の形態】
【００１４】
第１実施形態では、防犯を目的として、照明器具１を居室の天井１６に取付け、Ｕ字型で二つに折り曲げられた形状の電球４を、ドーム型の照明カバー２で覆う場合を、図１から図３に示し、説明する。
【００１５】
照明器具１は、照明器具取付座１５を天井１６に取り付けることによって設置され、内部には電球４と、電球取付座５を備え、電球４は、電球取付座５に着脱自在な照明カバー２に覆われる。監視装置である防犯カメラ３は、電球取付座５の下面部で、照明カバー２によって覆われて形成されるカメラ取付空間６に取付けられる。
【００１６】
照明器具１を覆う照明カバー２は、帯状の照明カバー２ａと、球状の照明カバー２から帯状に切り抜いて形成される２つの半球状の照明カバー２ｂ、２ｃとから構成される。半球状の照明カバー２ｂ、２ｃは、帯状の隙間を形成するように、照明器具取付座１５に、設置され、帯状の照明カバー２ａは、半球状の照明カバー２ｂ、２ｃによって形成される帯形状の隙間に、該隙間を動くように適度な余裕を持って、はまるように設置される。帯状の照明カバー２ａには、適当な位置に外部を撮影するための穴７が形成されており、この穴７に照明器具１内に設置される防犯カメラ３のカメラレンズ８が一体化するように装着される。
【００１７】
帯状の照明カバー２ａは、半球状の２ｂ、２ｃによって形成される帯状の隙間部分を水平な回転軸９を軸に、一体化しているカメラレンズ８とともに回動して、撮影する防犯カメラ３の傾斜角度を調節する。さらに防犯カメラ３のカメラレンズ８と一体化している帯状の照明カバー２ａは、半球状の照明カバー２ｂ、２ｃとともに水平方向にも回動することにより、防犯カメラ３の向きを調節する構成となっている。
【００１８】
防犯カメラ３による撮影は、帯状の照明カバー２ａと一体化しているカメラレンズ８と、該レンズ８に付随する筒状のノズル１０を介して、電球取付座５に設置される防犯カメラ３から行う。また、防犯カメラ３はカメラ取付空間６内であれば、筒状のノズル１０を介さずに、帯状の照明カバー２ａに、カメラレンズ８が一体化するように直接防犯カメラ３を設置してもよい。
【００１９】
帯状の照明カバー２ａと一体化したレンズ８に、外部から重ねるようにして、広角レンズ１１を設置することにより、より広範囲の撮像を可能とするものでもよい。
【００２０】
第２実施形態について図４から図６に示し、実施形態１との相違点のみを説明する。実施形態２では、ドーム型ではない、平型の照明を天井１６や壁１７に取り付ける場合を例にあげる。
【００２１】
照明カバー２の中心部に外部撮影のために形成する穴７に、一体化するように、カメラ取付空間６に設置する防犯カメラ３のカメラレンズ８を設置する。防犯カメラ３は、筒状のノズル１０を介し照明カバー２と一体化しているカメラレンズ８から外部を撮像するのに適当な角度傾けて、電球取付座５に設置される。筒状のノズル１０を介さずに、カメラ取付空間６内において照明カバー２に直接設置するものでもよい。
【００２２】
照明カバー２は、該カバーの中心部に形成される穴７と、一体化して設置されるカメラレンズ８の、撮像方向周辺部に、扇形状の凹部１２を形成する。
【００２３】
防犯カメラ３は、該カメラに付随するカメラレンズ８と照明カバー２とが一体となっていることにより、照明カバー２と共に、水平方向に回動することで、撮像の向きの調節をする。
【００２４】
第３実施形態について図７から図９に示し、実施形態１、実施形態２との相違点のみを説明する。本実施形態は、天井１６から吊り下げる照明器具の場合を例にあげて説明する。
【００２５】
筒状の照明器具１において、電球４とシェード１３との間の適当な場所に、防犯カメラ３を設置し、照明カバー２に設けた穴を通して撮像する。
【００２６】
また、照明器具１内に設置する防犯カメラ３とこれに付随するノズル１０は、乳白色の塗装を施し、照明カバー２に、影を落とすのを防ぐ。
【００２７】
移動物体を感知するセンサー１４は、照明器具１内の電球取付座５に設置するか、あるいは、照明器具外部に設置するもので、移動物体をセンサー１４が感知すると、防犯カメラ３の向きを調節し、侵入者を撮影する。
【００２８】
また、防犯カメラ３によって、記録されるのは映像に限定されず、音声などの情報であってもよい。
【００２９】
さらに、カメラ取付空間６に設置する全てのものは、照明器具１外部から見たときに、照明器具１内部に監視装置が設置されていることを警戒されないために、照明カバー２と同じ色で塗装される、もしくは製造されるものであってもよい。
【図面の簡単な説明】
【００３０】
【図１】実施形態１の照明カバー付防犯カメラの斜視図である。
【図２】実施形態１の照明カバー付防犯カメラの断面図である。
【図３】実施形態１の照明カバー付防犯カメラの断面図である。
【図４】実施形態２の照明カバー付防犯カメラの断面図である。
【図５】実施形態２の照明カバー付防犯カメラの断面図である。
【図６】実施形態２の照明カバー付防犯カメラの正面図である。
【図７】実施形態３の照明カバー付防犯カメラの断面図である。
【図８】実施形態３の照明カバー付防犯カメラの正面図である。
【符号の説明】
【００３１】
１  照明器具
２  照明カバー
２ａ  帯状照明カバー
２ｂ  半球状の照明カバー
２ｃ  半球状の照明カバー
３  防犯カメラ
４  電球
５  電球取付座
６  カメラ取付空間
７  穴
８  カメラレンズ
９  水平回転軸
１０  ノズル
１１  広角レンズ
１２  凹部
１３  シェード
１４  移動物体センサー
１５  照明器具取付座
１６  天井
１７  壁
【図１】
2005312020.tif 000003
【図２】
2005312020.tif 000004
【図３】
2005312020.tif 000005
【図４】
2005312020.tif 000006
【図５】
2005312020.tif 000007
【図６】
2005312020.tif 000008
【図７】
2005312020.tif 000009
【図８】
2005312020.tif 000010